(57)【要約】【課題】簡単な構成であって、一般ユーザがバンド長さの調節を容易かつ簡単に行えるようにしたバンドの駒アジャスト構造を提供する。【解決手段】取り外したいアジャスト駒２におけるアジャスト部材５の外部に露呈している操作面部５ｂを、コイルスプリング６の付勢力に抗して内方へ押圧する。この押圧により当該アジャスト駒２の係合突起部５ｃが、隣り合うアジャスト駒２の外駒部４の中空部から当該アジャスト駒２の内駒部３の中空部内部に入り、係合突起部５ｃと他のアジャスト駒２における外駒部４の中空部との係合が解除され、アジャスト駒２の取り外しが可能になる。【選択図】図２
2010264203.tif 000002
【特許請求の範囲】
【請求項１】
中空の内駒部と、該内駒部の両側から延出されて間に凹部を形成する中空の外駒部を備えた駒体を複数連結して構成されるバンドにおいて、
前記凹部に隣り合う駒体の前記内駒部を挿入した状態で、隣り合う駒体の前記外駒部と前記内駒部とに跨るようにアジャスト部材を配設することにより、隣り合う駒体を連結してなる駒アジャスト構造であって、
前記アジャスト部材を、前記外駒部と前記内駒部との中空部内に、駒体が連結される方向に対して直交する方向に摺動可能に、かつ対向させて一対装填し、
前記アジャスト部材に、前記内駒部を通って隣り合う駒体の外駒部に達する連結部と、該連結部の一端部に設けられ、かつ外駒部の中空部開口に露呈する操作面部と、前記連結部の他端部に設けられ、かつ隣り合う駒体の外駒部の中空部一部に係脱可能に係合する係合突起部とを備え、
対向する前記アジャスト部材間に、該アジャスト部材の前記係合突起部を前記外駒部の中空部一部に係合させる方向に付勢させる付勢部材を配設し、
前記アジャスト部材の前記操作面部を前記付勢部材に抗して前記外駒体内方へ押圧することにより、前記係合突起部と前記外駒部の中空部一部との係合を解除して隣り合う駒体の連結を解除することを特徴とするバンドの駒アジャスト構造。
【請求項２】
前記アジャスト部材が存在する前記外駒体の裏側に、中空部開口から内方へ向けて操作用切欠部を形成したことを特徴とする請求項１に記載のバンドの駒アジャスト構造。
【請求項３】
前記外駒部に前記アジャスト部材の装填を可能にする間隙を形成してなることを特徴とする請求項１または２に記載のバンドの駒アジャスト構造。
【請求項４】
前記外駒部を塑性変形して前記間隙を閉じることを特徴とする請求項３に記載のバンドの駒アジャスト構造。
【請求項５】
前記駒体と前記アジャスト部材とが異なる材質のものであることを特徴とする請求項１〜４いずれか１項に記載のバンドの駒アジャスト構造。
【請求項６】
前記駒体が金属材であり、前記アジャスト部材がプラスチック材であることを特徴とする請求項５に記載のバンドの駒アジャスト構造。
【発明の詳細な説明】
【技術分野】
【０００１】  本発明は、隣り合う駒体を連結して構成される各種バンドにおいて、駒体の一部を取り外すためのアジャスト構造に関するものである。
【背景技術】
【０００２】  従来、駒体を連結して構成されるバンドの長さを、装着者などの装着部分に合わせて調節するために、駒体にアジャスト部材を設けて、アジャスト部材と共に駒体を取り外すようにしている。【０００３】  従来、アジャスト部材としては、一般的には隣り合う駒体の連結するアジャストピンを外すようにした構造が採用されている。このアジャストピンに各種の工夫がなされている（特許文献１参照）。【０００４】  しかしながら、アジャストピンによるアジャスト構造は、バンドの小さな貫通孔に嵌挿されている細いピンを押し出すようにする作業が必要であり、さらに、その作業ための治具が必要であって、一般ユーザにとって直ぐに行えるような、簡単な作業であるとは云えない。【０００５】  また、特許文献２に記載されているように、アジャストピンにおける前記課題を解決するため、駒体を構成する外駒部と内駒部とを弾性部材にて形成し、外駒部と内駒部を外部から押圧変形させることにより、連結ピンによる外駒部と内駒部との連結を解除させるようにした構造のものがある。【０００６】  また、特許文献３には、外駒部と内駒部とを連結する部材の寸法構造を工夫し、隣り合う駒体の一方を回動させて、互いに直交する状態にしたときに、駒体を取り外すことができるようにした構成が記載されている。
【先行技術文献】
【特許文献】
【０００７】
【特許文献１】特開平１１−２５３２１４号公報
【特許文献２】実用新案登録第３０８９７９５号公報
【特許文献３】実用新案登録第３０９１４４７号公報
【発明の概要】
【発明が解決しようとする課題】
【０００８】  ところで、前記アジャストピンによる駒アジャストは、バンド類を購入する際、仔細を熟知している販売店の店員などによって行われるため、一般ユーザに対して負担を与えるようなことはない。【０００９】  しかし、バンドのサイズを一般ユーザが個人的に調節しようとする場合、前記のように治具を使う必要があり、治具があったとしても、容易にはアジャスト作業を行うことはできない。【００１０】  また、特許文献２，３に記載の構造では、治具を必要とせず、一般ユーザによる作業が簡単になるといっても、駒体内の連結ピンの連結解除を見えない状態で行う作業、あるいは駒体を適正な位置まで回動させる作業などの特殊な作業を一般ユーザに強いることになる。【００１１】  特に、近年、通信販売の普及に伴い、時計またはバンドを購入した後に、一般ユーザであっても個人的に、容易かつ簡単にバンドの調節が行えるような駒アジャストの構造が要求されてきている。【００１２】  そこで、本発明は、簡単な構成であって、一般ユーザがバンド長さの調節を容易かつ簡単に行えるようにしたバンドの駒アジャスト構造を提供することを目的とする。
【課題を解決するための手段】
【００１３】  本発明は前記課題を解決するため、中空の内駒部と、該内駒部の両側から延出されて間に凹部を形成する中空の外駒部を備えた駒体を複数連結して構成されるバンドにおいて、前記凹部に隣り合う駒体の前記内駒部を挿入した状態で、隣り合う駒体の前記外駒部と前記内駒部とに跨るようにアジャスト部材を配設することにより、隣り合う駒体を連結してなる駒アジャスト構造であって、前記アジャスト部材を、前記外駒部と前記内駒部との中空部内に、駒体が連結される方向に対して直交する方向に摺動可能に、かつ対向させて一対装填し、前記アジャスト部材に、前記内駒部を通って隣り合う駒体の外駒部に達する連結部と、該連結部の一端部に設けられ、かつ外駒部の中空部開口に露呈する操作面部と、前記連結部の他端部に設けられ、かつ隣り合う駒体の外駒部の中空部一部に係脱可能に係合する係合突起部とを備え、対向する前記アジャスト部材間に、該アジャスト部材の前記係合突起部を前記外駒部の中空部一部に係合させる方向に付勢させる付勢部材を配設し、前記アジャスト部材の前記操作面部を前記付勢部材に抗して前記外駒体内方へ押圧することにより、前記係合突起部と前記外駒部の中空部一部との係合を解除して隣り合う駒体の連結を解除するものである。【００１４】  前記構成により、外駒部の中空部開口に露呈しているアジャスト部材の操作面部を、外駒体内方へ押圧する操作により、隣り合う駒体の係合が解除されるため、駒体の連結を容易に解除することができる。【００１５】  また、前記アジャスト部材が存在する前記外駒体の裏側に、中空部開口から内方へ向けて操作用切欠部を形成することにより、操作用切欠部の存在により、アジャスト部材の操作面部の内方への押圧に際して、外駒体が邪魔になることなく押圧が円滑に行え、しかも、操作用切欠部がアジャスト用の操作面部が存在することの目印にもなる。【００１６】  また、前記外駒部に前記アジャスト部材の装填を可能にする間隙を形成したことにより、製造時のアジャスト部材の組み付け作業が容易になる。【００１７】  また、前記外駒部を塑性変形して前記間隙を閉じるようにしたことにより、特別な接着手段が不要になり、組立コストを低減することができる。【００１８】  また、前記駒体と前記アジャスト部材とが異なる材質のものにしたことにより、意匠の多様化を図ることができる。【００１９】  また、前記駒体が金属材であり、前記アジャスト部材がプラスチック材であることにより、意匠の多様化を図ることができと共に、アジャスト部材の操作面部のカラー化により、アジャスト部材の操作面部を目立つようにすることが可能になる。
【発明の効果】
【００２０】  本発明によれば、外駒部の中空部開口に露呈しているアジャスト部材の操作面部を付勢部材に抗して外駒体内方へ押圧する操作により、隣り合う駒体の係合が解除されるため、駒体の連結を容易に解除することができるため、比較的簡単な構成により、一般ユーザであっても、駒体の取り外しが容易に行え、バンド長さの調節を容易かつ簡単に行うことができる。
【図面の簡単な説明】
【００２１】
【図１】本発明の実施形態である時計バンドの一部を示す斜視図である。
【図２】本実施形態におけるアジャスト駒の平面断面図である。
【図３】本実施形態におけるアジャスト駒の分解斜視図である。
【図４】本実施形態におけるアジャスト駒の内駒部の巻き端部側を示す斜視図である。
【図５】本実施形態におけるアジャスト駒の組立を説明するための斜視図である。
【図６】本実施形態におけるアジャスト駒の組立を説明するための斜視図である。
【図７】本実施形態におけるアジャスト駒の組立を説明するための斜視図である。
【図８】本実施形態におけるアジャスト駒の組立を説明するための斜視図である。
【図９】本実施形態におけるアジャスト駒の変形例を示す斜視図である。
【発明を実施するための形態】
【００２２】  以下、本発明の実施の形態を図面に基づいて説明する。
【００２３】  図１は本発明の実施形態である時計バンドの一部を示す斜視図、図２は本実施形態におけるアジャスト駒の平面断面図、図３は本実施形態のアジャスト駒の分解斜視図である。
【００２４】  図１において、複数の駒体が連結されて長尺の時計バンドが構成されており、これらの駒体は、連結構造のみを備えた連結駒１とアジャスト駒２とからなっている。連結駒１とアジャスト駒２における外側の装飾面の形状は、同じバンドの駒体を構成する同一デザインとなっている。
【００２５】  ただし、アジャスト駒２は、後述するように、駒体連結状態のバンドから任意のものを取り外すことが可能な構造になっている。また、前記連結構造の駒体１は公知の構造を採用すればよく、ここでは説明は省略する。
【００２６】  バンドの駒体の一部を構成するアジャスト駒２は、図２，図３に示すように、本例ではステンレス板を折り曲げて成型され、中空の内駒部３と、この内駒部３の両側から延出されて凹部４ａを形成する中空の外駒部４，４とを有している。
【００２７】  図２，図３において、５はアジャスト部材であって、アジャスト部材５は、金属材あるいはプラスチック材からなり、外駒部４，４と内駒部３との中空部内に、駒体１が連設される方向Ａに対して直交する方向に摺動可能に、かつ対向させて一対が装填される。
【００２８】  前記一対のアジャスト部材５，５は対称形状であって、各アジャスト部材５，５は、内駒部３と外駒部４とに跨って配される連結部部５ａと、この連結部５ａの一端部に設けられ、かつ外駒部４，４の中空部開口に露呈する操作面部５ｂと、連結部５ａの他端部に設けられ、かつ隣り合うアジャスト駒２の外駒部４，４の中空部一部に係脱可能に係合する円柱状の係合突起部５ｃとを有している。
【００２９】  また、６は付勢部材であるコイルスプリングであって、コイルスプリング６は、対向するアジャスト部材５，５間に配されて、アジャスト部材５，５の係合突起部５ｃを、隣り合うアジャスト駒２における外駒部４，４の中空部一部に係合させる方向に付勢する。
【００３０】  図５〜図８は本実施形態におけるアジャスト駒２の組立を説明するための斜視図である。
【００３１】  組立前には、図４に示すように、アジャスト駒２の内駒部３の巻き端部３ａ部分は閉じておき、また、図５，図６に示すように、アジャスト駒２の両外駒部４の巻き端部４ｂ部分も開いて間隙Ｂを形成している。また、一対のアジャスト部材５を対向させて、両アジャスト部材５の係合突起部５ｃ間にコイルスプリング６を配した状態で、これらを外駒部４の巻き端部４ｂ部分の間隙Ｂからアジャスト駒２内部へ挿入する。
【００３２】  図７にアジャスト部材５とコイルスプリング６をアジャスト駒２に挿入した状態を示す。この状態で、アジャスト駒２の両外駒部４の巻き端部４ｂ部分の隙間Ｂを閉じることにより、図８に示すように、アジャスト駒２が完成する。
【００３３】  前記間隙Ｂを形成することにより、製造時のアジャスト部材の組み付け作業が容易になる。また、内駒部３と外駒部４を塑性変形してそれぞれの間隙Ｂを閉じるようにしたことにより、特別な接着手段が不要になり、組立コストを低減することができる。
【００３４】  図８に示す状態では、アジャスト駒２の両外駒部４の巻き端部４ｂ部分で、各アジャスト部材５の連結部５ａが、それぞれコイルスプリング６の付勢力を受けて係止され、両アジャスト部材５はアジャスト駒２から抜け落ちることはない。
【００３５】  両アジャスト部材５の係合突起部５ｃは、アジャスト駒２の内駒部３の側部から外駒部４の巻き端部４ｂ部分に外部に突出している。
【００３６】  また、各アジャスト部材５の操作面部５ｂは、それぞれ外駒部４の中空部開口に側面が外に突出しないように露呈している。アジャスト部材５の操作面部５ｂを内方にコイルスプリング６の付勢力に抗して押圧することにより、係合突起部５ｃを内部に引っ込めるようにすることができる。
【００３７】  次に、隣り合うアジャスト駒２どうしの組み付けについて説明する。
【００３８】  アジャスト駒２の外駒部４，４間の凹部４ａに、隣り合うアジャスト駒２の内駒部３を、アジャスト部材５の操作面部５ｂを内方に押圧し、係合突起部５ｃを内部に引っ込めた状態で挿入する。挿入後、操作面部５ｂへの押圧を止めると、コイルスプリング６の付勢力を受けてアジャスト部材５がアジャスト駒２の外側に摺動する。
【００３９】  前記摺動により、アジャスト部材５の連結部５ａがアジャスト駒２の両外駒部４の巻き端部４ｂ部分に係止し、かつ、係合突起部５ｃが隣り合うアジャスト駒２における外駒部４の中空部に入って係合する。この係合により、隣り合うアジャスト駒２どうしが連結されることになる。
【００４０】  連結解除は、取り外したいアジャスト駒２のアジャスト部材５の外部に露呈している操作面部５ｂを、コイルスプリング６の付勢力に抗して内方へ押圧すると、当該アジャスト駒２の係合突起部５ｃが、隣り合うアジャスト駒２の外駒部４の中空部から当該アジャスト駒２の内駒部３の中空部内部に入り、係合突起部５ｃと他のアジャスト駒２における外駒部４の中空部との係合が解除されることにより行われる。
【００４１】  前記アジャスト駒２のアジャスト部材５の操作面部５ｂに対する押圧操作は、図９に示すように、両アジャスト駒２の外駒部４の裏側に中空部開口側から内方へ向けて操作用切欠部１０を形成することにより容易に行うことができるようになる。
【００４２】  すなわち、操作面部５ｂに対する押圧操作は、ユーザが指あるいは適当なピン状の物により操作面部５ｂを押すことにより行われるが、操作用切欠部１０の存在により、操作面部５ｂの内方への押圧に際して、操作用切欠部１０がガイドになり、外駒部４が邪魔になることなく押圧を円滑に行うことができる。しかも、操作用切欠部１０が、一般の連結用の駒体１とアジャスト駒２とを区別するための目印にもなる。
【００４３】  なお、駒体１を含むアジャスト駒２とアジャスト部材５とを異なる材質のものにしてもよく、多様な材質のものを適宜選択することにより、バンド意匠の多様化を図ることができる。
【００４４】  また、駒体１を含むアジャスト駒２を金属材にて形成し、アジャスト部材５をプラスチック材にて形成することにより、前記のように意匠の多様化を図ることができと共に、アジャスト部材５の操作面部のカラー化により、アジャスト部材５の操作面部５ｂを目立つようにすることができる。
【産業上の利用可能性】
【００４５】  本発明は、駒体を連結する構成の時計バンドあるいは各種バンド類における駒体の取り外し構造として有効である。
【符号の説明】
【００４６】２  アジャスト駒
３  内駒部
４，４  外駒部
４ａ  外駒部間の凹部
４ｂ  外駒部の巻き端部
５，５  アジャスト部材
５ａ  連結部
５ｂ  操作面部
５ｃ  係合突起部
６  コイルスプリング
１０  操作用切欠部
Ｂ  外駒部の巻き端部部分の隙間
【図１】
2010264203.tif 000003
【図２】
2010264203.tif 000004
【図３】
2010264203.tif 000005
【図４】
2010264203.tif 000006
【図５】
2010264203.tif 000007
【図６】
2010264203.tif 000008
【図７】
2010264203.tif 000009
【図８】
2010264203.tif 000010
【図９】
2010264203.tif 000011